(57)【要約】【課題】照度制御しようとする領域にレイアウト変更が生じた場合に、各領域の照明器具の照度設定変更に容易に対応可能な照明システムを得る。【解決手段】光源と、照度センサと、他の照明器具へ調光信号を送出する調光信号出力部を有する制御装置を備える第一照明器具と、光源と、第一照明器具からの調光信号を入力する調光信号入力部と、外部から設定された調光率補正値の補正信号を入力する入力部と、入力された調光率補正値を設定する設定部を有し、調光信号入力部に入力された調光信号を設定部の調光率補正値で補正して、補正後の調光信号で光出力を制御する制御装置を備える第二照明器具とからなる照明システムであって、第二照明器具の入力部に補正信号が入力された場合に、設定部は当該補正信号に基づいて予め設定されている調光率補正値を再設定する。【選択図】　　　　図１
2004134248.tif 000002
【特許請求の範囲】
【請求項１】
光源と、該光源を点灯させる点灯装置と、被照射面の照度を検出する照度センサと、該照度センサの検出値に基づいて被照射面の照度を所定の目標値となるように前記光源の光出力を制御し、他の照明器具へ調光信号を送出する調光信号出力部を有する制御装置とを備える第一の照明器具と、
光源と、該光源を点灯させる点灯装置と、前記第一の照明器具から送出された調光信号を入力する調光信号入力部と、外部から設定された調光率補正値の補正信号を入力する入力部と、入力部に入力された調光率補正値を設定する設定部を有し、前記調光信号入力部に入力された調光信号を前記設定部に設定された調光率補正値で補正して、補正後の調光信号で前記光源の光出力を制御する制御装置とを備える第二の照明器具とからなる照明システムであって、
前記第二の照明器具の入力部に補正信号が入力された場合に、前記設定部は当該補正信号に基づいて予め設定されている調光率補正値を再設定することを特徴とする照明システム。
【請求項２】
外光量検知センサと、
光源と、該光源を点灯させる点灯装置と、被照射面の照度を検出する照度センサと、該照度センサの検出値に基づいて被照射面の照度を所定の目標値となるように前記光源の光出力を制御し、他の照明器具へ調光信号を送出する調光信号出力部を有する制御装置とを備える第一の照明器具と、
光源と、該光源を点灯させる点灯装置と、前記第一の照明器具から送出された調光信号を入力する調光信号入力部と、外部から設定された調光率補正値の補正信号を入力する入力部と、入力部に入力された調光率補正値を設定する設定部を有し、前記調光信号入力部に入力された調光信号を前記設定部に設定された調光率補正値で補正して、補正後の調光信号で前記光源の光出力を制御する制御装置とを備える第二の照明器具とからなる照明システムであって、
前記第二の照明器具の制御装置は、前記外光量検知センサからの外光量の信号を入力し、入力された外光量と予め設定されている閾値との大小関係によって、前記設定部に設定されている調光率補正値による補正処理の実行の有無を切り替える切替部を備えたことを特徴とする照明システム。
【請求項３】
前記切替部は、前記外光量検知センサからの外光量の信号を入力し、入力された外光量が予め設定されている閾値より大きい場合は、前記調光率補正値による補正処理を実行し、入力された外光量が小さい場合は補正処理を実行させないことを特徴とする請求項２記載の照明システム。
【請求項４】
前記設定部は複数の調光率補正値を備えるとともに前記切替部は複数の閾値を備え、前記切替部は前記外光量検知センサからの外光量の信号を入力し、入力された外光量と前記複数の閾値とを比較し、比較結果に基づいて閾値ごとの調光率補正値による補正処理を実行することを特徴とする請求項２記載の照明システム。
【発明の詳細な説明】
【０００１】
【発明の属する技術分野】
この発明は、照度センサを用いて照度制御を行う照明システムに関するものである。
【０００２】
【従来の技術】
従来の照明装置は、被照射面からの反射光を検出する明かりセンサと、明かりセンサの検出値に応じた制御信号を出力する制御ブロックと、制御ブロックからの調光信号を受けて、被照射面照度が略一定になるようにランプの光出力を制御する点灯装置と、制御ブロックからの調光信号を変換する信号変換器とから構成される。このような照明装置の構成で、例えば閉空間の窓側に設置されたランプの領域▲１▼と、中央付近に設置された明かりセンサが接続された制御ブロックとランプの領域▲２▼と、また壁側に設置されたランプの領域▲３▼として、前記制御ブロックが設置された領域▲２▼と夫々信号変換器を介して前記領域▲１▼及び領域▲３▼が接続される構成で、明かりセンサでの検出結果に基づき制御ブロックから送出される調光信号の値が調光率６０％であったとする。
【０００３】
窓側の領域▲１▼へ送出される調光信号は信号変換器で所定値（例えば１０％）減じた値の調光信号に変換され、また、壁側の領域▲３▼へ送出される調光信号は別の信号変換器で所定値（例えば１０％）加えた値の調光信号に変換されて伝達され、これにより、窓側の領域▲１▼は調光率５０％で、制御ブロックと直に接続されたランプの領域▲２▼は調光率６０％で、壁側の領域▲３▼は７０％でそれぞれ点灯する。このように外光利用の可否などに応じて信号変換器で変換する調光率を予め決定しておき、変換した調光信号で各領域のランプの調光制御を行うことで、各領域の照度を適正に制御することを可能とするものである（例えば、特許文献１参照）。
【０００４】
【特許文献１】
特開２００１−１１８６８６号公報（第３頁、第２図）
【０００５】
【発明が解決しようとする課題】
しかしながら、従来の照明装置においては、制御ブロックからの調光信号を変換したい調光信号分だけ信号変換器が必要となり、コストアップを招くという問題点があった。また、夜間など外光が利用できない時間帯においては、窓側の領域▲１▼が暗くなってしまうという問題点があった。さらに、制御したい領域内でレイアウト変更が生じ、信号変換器の増設などが必要になった場合に、再施工が必要になるなど手間が掛かってしまうという問題点があった。
【０００６】
この発明は上記のような問題点を解決するためになされたもので、閉空間内の複数の照度領域をそれぞれ適正な照度で制御するとともに、照度制御しようとする領域にレイアウト変更が生じた場合に、各領域の照明器具の照度設定変更に容易に対応可能で、また、外光量に応じた照度領域のよりきめ細かな照度制御を可能とする照明システムを得ることを目的とする。
【０００７】
【課題を解決するための手段】
この発明に係る照明システムは、光源と、該光源を点灯させる点灯装置と、被照射面の照度を検出する照度センサと、該照度センサの検出値に基づいて被照射面の照度を所定の目標値となるように前記光源の光出力を制御し、他の照明器具へ調光信号を送出する調光信号出力部を有する制御装置とを備える第一の照明器具と、
光源と、該光源を点灯させる点灯装置と、前記第一の照明器具から送出された調光信号を入力する調光信号入力部と、外部から設定された調光率補正値の補正信号を入力する入力部と、入力部に入力された調光率補正値を設定する設定部を有し、前記調光信号入力部に入力された調光信号を前記設定部に設定された調光率補正値で補正して、補正後の調光信号で前記光源の光出力を制御する制御装置とを備える第二の照明器具とからなる照明システムであって、
前記第二の照明器具の入力部に補正信号が入力された場合に、前記設定部は当該補正信号に基づいて予め設定されている調光率補正値を再設定するようにした。
【０００８】
【発明の実施の形態】
実施の形態１．
図１は、この発明の実施の形態１における照明システムを構成する第一の照明器具及び第二の照明器具の構成を示す構成ブロック図である。
図において、１は被照射面の反射光を検出する照度センサ６を搭載する第一の照明器具（以下、照明器具１という）である。この照明器具１には光源３と、該光源３を点灯させる点灯装置４と、前記照度センサ６の検出値によって予め設定された目標照度となるよう前記光源３の光出力を制御する制御装置５ａを有している。また、前記制御装置５ａには他の照明器具２へ調光信号を送出する調光信号出力部８を備えるものである。
【０００９】
一方、２は前記照明器具１からの調光信号をもとに制御される第二の照明器具（以下、照明器具２という）である。この照明器具２と前記照明器具１と異なるところは、前記照度センサ６を備えていないことと、前記制御装置５ａの代わりに照明器具１から送出される前記調光信号が入力される調光信号入力部９と、例えばリモコンなどの設定器１５によって設定された調光率補正値の例えば赤外線信号による補正信号を受信する入力部１４と、該入力部１４で受信された前記調光率補正値を設定する設定部１０を有する制御装置５ｂを備えるものである。尚、調光率補正値の設定は、おもに照明システムの設置施工時などに前記設定器１５を使用し、夫々の照明器具２に設定するものである。
【００１０】
図２は、閉空間内に例えば前記照明器具１と２台の照明器具２による照明システムの配置構成の一例を示す構成模式図である。尚、図は天井に配置したものを上から見たものである。また、図２において図１と同一または相当部分には同一符号を付し説明を省略する。
図２に示す照明システムの一例においては、照度センサ６を搭載する照明器具１を窓側に配置し、中央付近と壁側に夫々照明器具２を配置したものであり、前記照明器具１の調光信号出力部８から送出される調光信号は信号線７を介して前記中央付近と壁側の２台の照明器具２へ伝達される構成となっている。
【００１１】
また、前記２台の照明器具２の夫々制御装置５ｂの設定部１０には、前述のようにこの照明システムの設置施工時に予め前記設定器１５によって、前記調光信号入力部９へ入力される照明器具１からの調光信号が示す調光率に対して、例えば１０％加えるようにする調光率補正値が、入力部１４を介して夫々設定されている。
【００１２】
このように、本実施の形態では照明器具１からの調光信号が示す調光率に対して、前記２台の照明器具２に同じ調光率補正値（１０％増加）が設定されることから、この照明システムの照度制御グループとしては、図２に示すように、窓側に配置された前記照明器具１の例えば第一の照度グループと、前記照明器具１からの調光信号を前記調光率補正値で補正して、同じ調光率で制御される２台の照明器具２の例えば第二の照度グループで構成される照明システムとなっている。
【００１３】
次に、上記のように構成された照明システムの動作について、図１及び図２を併用して説明する。
まず、照明器具１に搭載された照度センサ６によって被照射面である床面からの反射光で照度を検出し、床面の照度が予め設定された照度となるように、照明器具１の光源３の光出力を制御する。ここでは例えば照明器具１の光出力の制御の割合、即ち調光率が６０％で点灯するものとする。照明器具１は光源３の光出力を調光率６０％で点灯するよう制御するとともに、制御装置５ａの調光信号出力部８から他の前記２台の照明器具２に対して、信号線７を介して調光率６０％という調光信号を送出する。一方、前記照明器具１からの調光信号が夫々の調光信号入力部９に入力された前記２台の照明器具２は、入力された調光率６０％という調光信号を設定部１０に予め設定されている調光率補正値（ここでは前述した１０％増加）で補正して、調光率６０％に１０％を加算した調光率７０％で夫々光源３を点灯させるように制御する。
【００１４】
以上のように、太陽光などの外光が利用可能な窓側の照明器具１の第一の照度グループは、入射する外光量に応じて照明器具１の光出力を制御した結果が目標照度となるように光源３が調光制御されるため、外光利用可能な分照明器具１は光出力を抑え無駄な電力を消費することなく省エネが図れる。また、外光の利用が期待できない中央付近と壁側２台の照明器具２の第二の照度グループは、前記第一の照度グループの照明器具１の調光率に対して補正した分明るく調光制御されることになり、第一の照度グループの照明器具１の調光率に連動して暗くなりすぎることが無いように制御されるため快適性を損なわない照明環境を得ることが可能となる。
【００１５】
次に、上記図２に示す窓側に配置された照明器具１による第一の照度グループと、照明器具１からの調光信号を設定された調光率補正値で補正して、同じ調光率で制御される中央付近と壁側に配置された２台の照明器具２による第二の照度グループからなる照明システム例で、例えば照度制御しようとする領域にレイアウト変更が生じ、図３に示すように窓側の照明器具１と中央付近の照明器具２による第一の照度グループと壁側の照明器具２による第二の照度グループ構成に変更する場合について説明する。
【００１６】
まず、前記中央付近の照明器具２に対して前記設定器１５を用い、調光率補正値をゼロ（即ち補正無し）とする補正信号を送信する。この補正信号を入力部１４で受信し設定部１０に調光率補正値をゼロに設定変更する。設定部１０に調光率補正値がゼロに設定された前記中央付近の照明器具２は、調光信号入力部９に入力される前記照明器具１からの調光率６０％（前述同様とする）という調光信号に対し補正を行うことなく、照明器具１と同じ調光率で光源３を点灯させるように制御する。
一方、壁側の照明器具２は、調光信号入力部９に入力された照明器具１からの調光率６０％という調光信号を設定部１０に予め設定されている調光率補正値（前述同様１０％増加）で補正して、調光率７０％で光源３を点灯させるように制御する。したがって、照度制御領域のグループの構成は、前述の図３に示すように窓側の照明器具１と中央付近の照明器具２による第一の照度グループと、壁側の照明器具２による第二の照度グループとに変更されることになる。
【００１７】
以上のように、照明器具２の制御装置５ｂ内に、調光率補正値を設定する設定部１０を設け、例えばリモコンなどの設定器１５を用いて調光率補正値を容易に設定変更できるので、照度制御しようとする領域にレイアウト変更が生じた場合などに、変更が必要な照明器具２の設定部１０に対して予め設定されている調光率補正値を設定器１５を用いて設定変更することにより、新たな配線変更などの工事を必要とすることなく、容易に照度制御領域のグループ変更を行うことが可能となる。
【００１８】
尚、前記設定部１０への調光率補正値の設定方法について、例えばリモコンなどの設定器１５からの赤外線信号による設定としているが、これに限られるものではなく、照明器具２に例えばスイッチを設け、このスイッチによって調光率補正値を設定する方法など、設定の方法についてはどのような形態でも構わない。
【００１９】
また、照明器具１から送出する調光信号の伝達手段として信号線７を使って照明器具２へ伝達する説明としたが、調光信号の伝達手段は信号線のような有線に限るものではなく、例えば光や電波を使った無線による伝達手段でもよい。
【００２０】
また、上記実施の形態において、照明器具１から他の照明器具２への調光信号を伝達する信号線７の接続の仕方は一例を示すものであり、これに限られるものではない。
【００２１】
実施の形態２．
図４は、この発明の実施の形態２を示す照明システムの配置構成の一例を示す構成模式図である。尚、図４において上記実施の形態１の図１、図２、図３と同一または相当部分には同一符号を付し説明を省略する。
図４に示す照明システムの一例においては、閉空間内の窓側に３台の照明器具２を配置し、また中央付近に照度センサ６を搭載する照明器具１と２台の照明器具２を配置し、さらに壁側に３台の照明器具２を配置するようにしたものである。
【００２２】
前記窓側３台の照明器具２の設定部１０には、上記実施の形態１同様に照明システムの設置施工時に予め前記設定器１５によって、システム稼動時などに夫々の調光信号入力部９に入力される前記照明器具１からの調光信号が示す調光率に対して、例えば１０％下げるように補正する調光率補正値が、入力部１４を介して夫々設定されている。
また、中央２台の照明器具２の設定部１０には、上記同様に予め前記設定器１５によって、夫々の調光信号入力部９に入力される前記照明器具１からの調光信号が示す調光率に対して、調光率補正値ゼロ（即ち補正無し）の値が、入力部１４を介して夫々設定されている。
また、壁側３台の照明器具２の設定部１０には、上記同様に予め設定器１５によって、夫々の調光信号入力部９に入力される前記照明器具１からの調光信号が示す調光率に対して、例えば１０％加えるように補正する調光率補正値が、入力部１４を介して夫々設定されいる。
【００２３】
次に、上記のように構成された照明システムの動作について、図４をもとに説明する。
まず、照明器具１に搭載された照度センサ６によって被照射面である床面からの反射光で照度を検出し、床面の照度が予め設定された照度となるように、照明器具１の光源３の光出力を制御する。ここでは例えば照明器具１の光出力の制御の割合、即ち調光率が６０％で点灯するものとする。照明器具１は光源３の光出力を調光率６０％で点灯するよう制御するとともに、制御装置５ａの調光信号出力部８から他の照明器具２に対して、信号線７を介して調光率６０％という調光信号を送出する。前記照明器具１からの調光率６０％という調光信号を受信した中央の２台の照明器具２は、前述のように夫々の設定部１０に予め調光率補正値ゼロが設定されていることから、照明器具１からの調光信号にしたがって同じ調光率６０％で光源３を点灯するよう調光制御する。したがって、中央の２台の照明器具２は照明器具１と同じ調光率で制御されるため、図４に示すように照明器具１と２台の照明器具２とで例えば第一の照度グループが構成される。
【００２４】
一方、窓側の３台の照明器具２は、前述のように夫々の設定部１０に予め１０％減の調光率補正値が設定されていることから、夫々の調光信号入力部９に入力された照明器具１からの調光率６０％という調光信号から１０％減らし、調光率５０％で光源３を点灯するよう調光制御する。したがって、窓側３台の照明器具２は、照明器具１からの調光率６０％という調光信号に対して１０％減らす同じ調光率で制御されるため、図４に示すようにこの３台で例えば第二の照度グループが構成される。
また一方、壁側の３台の照明器具２は、前述のように夫々の設定部１０に予め１０％増の調光率補正値が設定されていることから、夫々の調光信号入力部９に入力された照明器具１からの調光率６０％という調光信号に１０％加え、調光率７０％で光源３を点灯するよう調光制御する。したがって、壁側３台の照明器具２は、照明器具１からの調光率６０％という調光信号に対して１０％加える同じ調光率で制御されるため、図４に示すようにこの３台で例えば第三の照度グループが構成される。
【００２５】
以上のように、窓側の第二の照度グループを構成している３台の照明器具２は、照明器具１が指示する調光率よりも下げた調光率で光源３を点灯するよう制御するが、照明器具１からなる第一の照度グループよりもより多くの外光を利用することが可能であるため、外光利用が可能な分光出力を抑え無駄な電力を消費することなく省エネを図ることが可能となる。また、中央の前記照明器具１と第一の照度グループを構成している２台の照明器具２は、予め調光率補正値ゼロを設定することによって、照明器具１からの調光信号にしたがって同じ調光率で光源３を点灯するよう制御するため、照明器具１と同じ光出力で点灯することが可能で同一グループを構成する照明器具１間で光出力に差が生じない良好な照明環境を得ることができる。また、外光の利用がほとんど期待できない壁側の第三の照度グループを構成している３台の照明器具２は、照明器具１が指示する調光率６０％よりも明るく点灯することで、第一の照度グループの調光率に連動して暗くなりすぎることが無いように制御されるため快適性を損なわない照明環境を得ることが可能となる。
【００２６】
また、上記図４に示す照明システムの構成例において、照度制御しようとする領域にレイアウト変更が生じ照度設定領域変更の必要が生じた場合においても、上記実施の形態１で説明したのと同様に、変更が必要な照明器具２の設定部１０に対して設定されている調光率補正値を設定器１５を用いて再設定変更することにより、新たな配線変更などの工事を必要とすることなく、容易に照度制御領域のグループ変更を行うことが可能となる。
【００２７】
尚、前記設定部１０への調光率補正値の設定方法について、例えばリモコンなどの設定器１５からの赤外線信号による設定としているが、これに限られるものではなく、照明器具２に例えばスイッチを設け、このスイッチによって調光率補正値を設定する方法など、設定の方法についてはどのような形態でも構わない。
【００２８】
また、照明器具１から送出する調光信号の伝達手段として信号線７を使って照明器具２へ伝達する説明としたが、調光信号の伝達手段は信号線のような有線に限るものではなく、例えば光や電波を使った無線による伝達手段でもよい。
【００２９】
また、上記実施の形態において、照明器具１から他の照明器具２への調光信号を伝達する信号線７の接続の仕方は一例を示すものであり、これに限られるものではない。
【００３０】
実施の形態３．
図５は、この発明の実施の形態３における照明システムを構成する第二の照明器具（以下、照明器具２という）の構成を示す構成ブロック図である。
尚、図５において、上記実施の形態１で示す図１の照明器具２と同一または相当部分には同一符号を付し説明を省略する。また、設定器１５は図示しないが、上記図１に示すのと同様であるので、説明を省略する。また、第一の照明器具（以下、照明器具１という）の構成は、上記図１に示す照明器具１と同様であるので、説明を省略する。
図５において、前記照明器具２は、制御装置５ｂに切替部１１を付加した構成としたものである。前記切替部１１は、外部信号の例えば後述する外光量検知センサの出力信号が入力され、その入力された信号と切替部１１に予め設定されている閾値との大小関係の比較により、例えば外部信号が閾値よりも大きければ前記設定部１０に設定された調光率補正値の処理を実行するように、外部信号が閾値よりも小さければ調光率補正値の処理を実行しないように切り替える。
【００３１】
図６は、前記図５に示した照明器具２と前記照明器具１による照明システムの配置構成の一例を示す構成模式図である。尚、図６において、上記実施の形態２で示した図４と同一または相当部分には同一符号を付し説明を省略する。
図６において、１２は閉空間内に配置された各照明器具２の前記切替部１１と信号線１３を介して接続され、窓から差し込む太陽光などの外光量を検出し、その外光量の信号を前記各照明器具２の切替部１１に送出する外光量検知センサである。図７の外光量と外光量検知センサ１２の出力の関係と、前記切替部１１に予め設定されている閾値の関係を表した図に示すように、外光量が多いほど外光量検知センサ１２の出力は大きくなり、前記各照明器具２の切替部１１は前記出力信号が示す外光量が予め設定されている閾値よりも大きい場合は、前記設定部１０に設定されている調光率補正値の処理を実行するように、閾値よりも小さい場合には、調光率補正値の処理を実行しないように切り替える。
【００３２】
次に、上記のように構成された照明システムの動作について、図６、図７をもとに説明する。
まず、上記実施の形態２同様に閉空間内中央２台の照明器具２の設定部１０には、設定器１５により予め調光率補正値ゼロ（即ち補正無し）の値が設定されており、また、窓側３台の照明器具２の設定部１０には設定器１５により予め１０％減の調光率補正値が設定されている。さらに、壁側３台の照明器具２の設定部１０には設定器１５により予め１０％増の調光率補正値が設定されているものとする。したがって、中央２台の照明器具２は調光率補正値ゼロが設定されていることから、前述したように照明器具１から指示される調光率で調光制御されるため、図６に示すように照明器具１と例えば第一の照度グループが構成される。また、窓側３台の照明器具２は、照明器具１から指示される調光率に対して同じ１０％減の調光率補正値が設定されていることから、この３台で例えば第二の照度グループが構成される。さらに、壁側３台の照明器具２は、照明器具１から指示される調光率に対して同じ１０％増の調光率補正値が設定されていることから、この３台で例えば第三の照度グループが構成される。
【００３３】
上記構成で、照明器具１に搭載の照度センサ６によって被照射面である床面からの反射光で照度を検出し、床面の照度が予め設定された照度となるように自身の光源の光出力を制御する。いま外光がある昼間等で例えば照明器具１の光出力の制御の割合、即ち調光率が６０％で点灯するものとする。照明器具１は自身の光源３の光出力を調光率６０％で点灯するよう制御するとともに、調光信号出力部８から調光率６０％を示す調光信号を他の照明器具２に送出する。送出された調光信号は各照明器具２の調光信号入力部９に入力される。
一方、前記外光量検知センサ１２で外光量が検知され、その検知された外光量の信号が信号線１３を介して前記各照明器具２の切替部１１に入力される。そして、昼間等で入力された外光量の信号が、図７に示すように前記切替部１１に予め設定されている閾値よりも大きければ、前記各照明器具２の切替部１１は設定部１０に設定された調光率補正値の処理を実行するように切り替える。この調光率補正値の処理実行の指示によって各照明器具２は、前記調光信号入力部９に入力された照明器具１からの調光率６０％を示す調光信号に対して、夫々の設定部１０に設定された調光率補正値で補正処理を実行して、夫々光源３の光出力を制御する。
【００３４】
したがって、この場合照明器具１からの調光信号が示す調光率が前述した６０％とすると、中央の前記照明器具１と２台の照明器具２の第一の照度グループは調光率６０％で、窓側３台の照明器具２の第二の照度グループは１０％減らし調光率５０％で、また、壁側３台の照明器具２の第三の照度グループは１０％加えて調光率７０％で夫々点灯制御されることになる。
【００３５】
次に、外光がなくなる夜間等で、例えば照度センサ６搭載の照明器具１の光出力の制御の割合、即ち調光率が７０％で点灯するものとする。ここで照明器具１の調光率が７０％に上昇するのは外光がなくなる分昼間の場合に比べて光出力を上昇させて予め設定された目標照度に達するように動作するためである。照明器具１は自身の光源３の光出力を調光率７０％で点灯するよう制御するとともに、調光信号出力部８から調光率７０％を示す調光信号を他の照明器具２に送出する。送出された調光信号は各照明器具２の調光信号入力部９に入力される。
一方、前記外光量検知センサ１２から外光量の信号が信号線１３を介して前記各照明器具２の切替部１１に入力される。そして、夜間等で入力された外光量の信号が、図７に示すように前記切替部１１に予め設定されている閾値よりも小さければ、前記各照明器具２の切替部１１は設定部１０に設定された調光率補正値の処理を実行しないように切り替える。
【００３６】
したがって、この場合照明器具１から調光率７０％を示す調光信号が他の照明器具２に送出されると、他の照明器具２は設定された調光率補正値の処理を実行しないで照明器具１からの調光率７０％を示す調光信号にしたがって全照明器具が調光率７０％で点灯制御されることになる。
【００３７】
以上のように、各照明器具２の設定部１０に調光率補正値が設定されている場合においても、例えば外光量検知センサからの外光量情報によって外光がなくなる例えば夜間等に調光率補正値処理の実行が適当でない場合には、設定された調光率補正値の処理を実行しないように切替えをして、照明器具１から指示される調光率と同じ光出力で全照明器具を点灯制御するようにしたため、一部の照明器具が暗くなりすぎることが無い良好な照明環境を得ることが可能となる。
【００３８】
尚、前記設定部１０への調光率補正値の設定方法について、例えばリモコンなどの設定器１５からの赤外線信号による設定としているが、これに限られるものではなく、照明器具２に例えばスイッチを設け、このスイッチによって調光率補正値を設定する方法など、設定の方法についてはどのような形態でも構わない。
【００３９】
また、照明器具１から送出する調光信号の伝達手段として信号線７を使って照明器具２へ伝達する説明としたが、調光信号の伝達手段は信号線のような有線に限るものではなく、例えば光や電波を使った無線による伝達手段でもよい。
【００４０】
また、上記実施の形態において、照明器具１から他の照明器具２への調光信号を伝達する信号線７の接続の仕方は一例を示すものであり、これに限られるものではない。
【００４１】
また、上記実施の形態において外光量検知センサ１２から送出する外光量の信号の伝達手段として信号線１３を使って各照明器具２へ伝達するよう説明したが、信号の伝達手段は信号線のような有線に限るものではなく、光や電波を使った無線による伝達手段でもよい。
【００４２】
また、上記実施の形態においては、外光量検知センサ１２を用いて、該外光量検知センサ１２からの外光量の出力と各照明器具２の切替部１１に設定された閾値との大小関係から、例えば昼間、夜間などで設定部１０に設定された調光率補正値の処理を実行するか否かを切替部１１で切り替えるようにしたが、例えばタイマーを用いて、タイマーで設定された時刻によって、例えば昼間などの外光が利用できる時間帯と夜間などの外光が利用できない時間帯とで設定部１０に設定された調光率補正値の処理を実行するか否かを切替部１１で切り替えるようにしてもよい。
【００４３】
実施の形態４．
図８は、この発明の実施の形態４における照明システムを構成する第二の照明器具（以下、照明器具２という）の構成を示す構成ブロック図である。
尚、図８において、上記実施の形態３で示す図５の照明器具２と同一または相当部分には同一符号を付し説明を省略する。また、設定器１５は図示しないが、上記図１に示すのと同様であるので、説明を省略する。また、第一の照明器具（以下、照明器具１という）の構成は、上記図１に示す照明器具１と同様であるので、説明を省略する。
上記実施の形態３における照明器具２の制御装置５ｂは、切替部１１に予め設定される閾値を１つとしたものであるが、本実施の形態における照明器具２の制御装置５ｂは、切替部１１に予め設定される閾値を複数（ここでは２つ）設定可能とし、さらに設定部１０に設定される調光率補正値を複数（ここでは２つ）設定可能にする構成としたものである。
したがって、図８に示すように制御装置５ｂの設定部１０には、前記設定器１５によって入力部１４を介して調光率補正値Ａ、Ｂの２つが設定され、切替部１１には、閾値Ａ、Ｂの２つが予め設定されている。
【００４４】
図９は、前記図８に示した照明器具２と前記照明器具１による照明システムの配置構成の一例を示す構成模式図である。尚、図９において、上記実施の形態３で示した図６と同一または相当部分には同一符号を付し説明を省略する。
上記図９に示す照明システムの構成において、窓側３台と中央２台及び壁側３台の前記各照明器具２の制御装置５ｂの設定部１０には、前記設定器１５によって入力部１４を介して、下表１に示すように２つの調光率補正値Ａ、Ｂが予め設定されている。
【表１】
2004134248.tif 000003
したがって、中央２台の照明器具２は調光率補正値ゼロが設定されていることから、前述したように照明器具１から指示される調光率で調光制御されるため、図９に示すように照明器具１と例えば第一の照度グループが構成される。また、窓側３台の照明器具２は、照明器具１から指示される調光率に対して同じ調光率補正値が設定されていることから、この３台で例えば第二の照度グループが構成される。さらに、壁側３台の照明器具２も照明器具１から指示される調光率に対して同じ調光率補正値が設定されていることから、この３台で例えば第三の照度グループが構成される。
【００４５】
図１０は、外光量と外光量検知センサ１２の出力の関係と設定部１０の調光率補正値と切替部１１の閾値との関係を表した図である。
図に示すように、外光量が多いほど外光量検知センサ１２の出力は大きくなり、前記各照明器具２の切替部１１は前記出力信号が示す外光量が予め設定されている閾値Ａより大きい場合は、前記設定部１０に設定されている上記表に示す設定Ａの調光率補正値の処理を実行するように、また、閾値Ａより小さく閾値Ｂより大きい場合（閾値Ａ＞センサ出力＞閾値Ｂ）には、設定Ｂの調光率補正値の処理を実行するように、さらに、閾値Ｂより小さい場合には、調光率補正値の処理を実行しないように夫々切り替える。
【００４６】
次に、上記のように構成された照明システムの動作について、図９、図１０をもとに説明する。
上記構成で、照明器具１に搭載の照度センサ６によって被照射面である床面からの反射光で照度を検出し、床面の照度が予め設定された照度となるように自身の光源の光出力を制御する。いま外光がある晴天時で例えば照明器具１の光出力の制御の割合、即ち調光率が６０％で点灯するものとする。照明器具１は自身の光源３の光出力を調光率６０％で点灯するよう制御するとともに、調光信号出力部８から調光率６０％を示す調光信号を他の照明器具２に送出する。送出された調光信号は各照明器具２の調光信号入力部９に入力される。
一方、前記外光量検知センサ１２から外光量の信号が信号線１３を介して前記各照明器具２の切替部１１に入力される。そして、晴天時で入力された外光量の信号が、図１０に示すように前記切替部１１に予め設定されている閾値Ａよりも大きければ、前記各照明器具２の切替部１１は設定部１０に設定されている上記設定Ａの調光率補正値の処理を実行するように切り替える。この調光率補正値Ａの処理実行の指示によって各照明器具２は、前記調光信号入力部９に入力された照明器具１からの調光率６０％を示す調光信号に対して、夫々の設定部１０に設定された調光率補正値Ａで補正処理を実行して、夫々光源３の光出力を制御する。
【００４７】
したがって、この場合照明器具１からの調光信号が示す調光率が前述した６０％とすると、中央２台の照明器具２の設定部１０に設定されている調光率補正値Ａは（０％）であるので、中央２台の照明器具２は前記照明器具１から指示される調光率６０％で光源３が点灯するよう調光制御される。また、窓側３台の照明器具２の設定部１０に設定されている調光率補正値Ａは（−１０％）であるので、窓側３台の照明器具２は前記照明器具１からの調光率６０％という調光信号から１０％減らし、調光率５０％で光源３を点灯するよう調光制御する。さらに、壁側３台の照明器具２の設定部１０に設定されている調光率補正値Ａは（＋１０％）であるので、壁側３台の照明器具２は照明器具１からの調光率６０％という調光信号に１０％加え、調光率７０％で光源３を点灯するよう調光制御する。
【００４８】
次に、曇りや雨天時で例えば照度センサ６搭載の照明器具１の光出力の制御の割合、即ち調光率が６０％で点灯するものとする。照明器具１は自身の光源３の光出力を調光率６０％で点灯するよう制御するとともに、調光信号出力部８から調光率６０％を示す調光信号を他の照明器具２に送出する。送出された調光信号は各照明器具２の調光信号入力部９に入力される。
一方、前記外光量検知センサ１２から外光量の信号が信号線１３を介して前記各照明器具２の切替部１１に入力される。そして、曇りや雨天時で入力された外光量の信号が、図１０に示すように前記切替部１１に予め設定されている閾値Ａより小さく閾値Ｂより大きければ、前記各照明器具２の切替部１１は設定部１０に設定されている上記設定Ｂの調光率補正値の処理を実行するように切り替える。この調光率補正値Ｂの処理実行の指示によって各照明器具２は、前記調光信号入力部９に入力された照明器具１からの調光率６０％を示す調光信号に対して、夫々の設定部１０に設定された調光率補正値Ｂで補正処理を実行して、夫々光源３の光出力を制御する。
【００４９】
したがって、この場合照明器具１からの調光信号が示す調光率が前述した６０％とすると、中央２台の照明器具２の設定部１０に設定されている調光率補正値Ｂは（０％）であるので、中央２台の照明器具２は前記照明器具１から指示される調光率６０％で光源３が点灯するよう調光制御される。また、窓側３台の照明器具２の設定部１０に設定されている調光率補正値Ｂは（−５％）であるので、窓側３台の照明器具２は前記照明器具１からの調光率６０％という調光信号から５％減らし、調光率５５％で光源３を点灯するよう調光制御する。さらに、壁側３台の照明器具２の設定部１０に設定されている調光率補正値Ｂは（＋１５％）であるので、壁側３台の照明器具２は照明器具１からの調光率６０％という調光信号に１５％加え、調光率７５％で光源３を点灯するよう調光制御する。
【００５０】
続いて、外光がなくなる夜間等で例えば照度センサ６搭載の照明器具１の光出力の制御の割合、即ち調光率が７０％で点灯するものとする。ここで照明器具１の調光率が７０％に上昇するのは外光がなくなる分昼間の場合に比べて光出力を上昇させて予め設定された目標照度に達するように動作するためである。照明器具１は自身の光源３の光出力を調光率７０％で点灯するよう制御するとともに、調光信号出力部８から調光率７０％を示す調光信号を他の照明器具２に送出する。送出された調光信号は各照明器具２の調光信号入力部９に入力される。
一方、前記外光量検知センサ１２から外光量の信号が信号線１３を介して前記各照明器具２の切替部１１に入力される。そして、夜間等で入力された外光量の信号が、図１０に示すように前記切替部１１に予め設定されている閾値Ｂよりも小さければ、前記各照明器具２の切替部１１は設定部１０に設定された調光率補正値の処理を実行しないように切り替える。
【００５１】
したがって、この場合照明器具１から調光率７０％を示す調光信号が他の照明器具２に送出されると、他の照明器具２は設定された調光率補正値の処理を実行しないで照明器具１からの調光率７０％を示す調光信号にしたがって全照明器具が調光率７０％で点灯制御されることになる。
【００５２】
以上のように、照明器具２の設定部１０に複数の調光率補正値を、また切替部１１に複数の閾値を夫々設定するようにして、外光量検知センサ１２からの外光量の出力と前記切替部１１に設定された複数の閾値との大小関係に基づいて、前記設定部１０に設定された複数の調光率補正値から選択して調光率補正値の処理実行か、または処理を実行しないかを切り替えるようにしたので、上記実施の形態３よりもさらに木目細かな外光量に応じた照度制御が可能になる。
【００５３】
尚、前記設定部１０への調光率補正値の設定方法について、例えばリモコンなどの設定器１５からの赤外線信号による設定としているが、これに限られるものではなく、照明器具２に例えばスイッチを設け、このスイッチによって調光率補正値を設定する方法など、設定の方法についてはどのような形態でも構わない。
【００５４】
また、照明器具１から送出する調光信号の伝達手段として信号線７を使って照明器具２へ伝達する説明としたが、調光信号の伝達手段は信号線のような有線に限るものではなく、例えば光や電波を使った無線による伝達手段でもよい。
【００５５】
また、上記実施の形態において、照明器具１から他の照明器具２への調光信号を伝達する信号線７の接続の仕方は一例を示すものであり、これに限られるものではない。
【００５６】
また、上記実施の形態において外光量検知センサ１２から送出する外光量の信号の伝達手段として信号線１３を使って各照明器具２へ伝達するよう説明したが、信号の伝達手段は信号線のような有線に限るものではなく、光や電波を使った無線による伝達手段でもよい。
【００５７】
また、上記実施の形態においては、外光量検知センサ１２を用いて、該外光量検知センサ１２からの外光量の出力と各照明器具２の切替部１１に設定された複数の閾値との大小関係から、設定部１０に設定された複数の調光率補正値から選択して調光率補正値の処理実行か、または処理を実行しないかを切り替えるようにしたが、例えばタイマーを用いて、タイマーで設定された時刻情報によって、設定部１０に設定された複数の調光率補正値から選択して調光率補正値の処理実行か、または処理を実行しないかを切替部１１で切り替えるようにしてもよい。
【００５８】
【発明の効果】
この発明は以上説明したように、光源と、該光源を点灯させる点灯装置と、被照射面の照度を検出する照度センサと、該照度センサの検出値に基づいて被照射面の照度を所定の目標値となるように前記光源の光出力を制御し、他の照明器具へ調光信号を送出する調光信号出力部を有する制御装置とを備える第一の照明器具と、光源と、該光源を点灯させる点灯装置と、前記第一の照明器具から送出された調光信号を入力する調光信号入力部と、外部の設定器から設定された調光率補正値の補正信号を入力する入力部と、入力部に入力された調光率補正値を設定する設定部を有し、前記調光信号入力部に入力された調光信号を前記設定部に設定された調光率補正値で補正して、補正後の調光信号で前記光源の光出力を制御する制御装置とを備える第二の照明器具とからなる照明システムであって、
前記第二の照明器具の入力部に補正信号が入力された場合に、前記設定部は当該補正信号に基づいて予め設定されている調光率補正値を再設定するようにしたので、設定器の例えばリモコンなどを用いて調光率補正値を容易に設定変更することができ、照度制御しようとする領域にレイアウト変更が生じた場合などに、変更が必要な第二の照明器具の設定部に対して予め設定されている調光率補正値を設定器を用いて設定変更することにより、新たな配線変更などの工事を必要とすることなく、容易に照度制御領域のグループ変更を行うことが可能となる照明システムが得られる。
【図面の簡単な説明】
【図１】この発明の実施の形態１における照明システムを構成する第一の照明器具及び第二の照明器具の構成を示す構成ブロック図である。
【図２】この発明の実施の形態１に係る照明システムの配置構成の一例を示す構成模式図である。
【図３】この発明の実施の形態１に係る照明システムの別の例を示す構成模式図である。
【図４】この発明の実施の形態２を示す照明システムの配置構成の一例を示す構成模式図である。
【図５】この発明の実施の形態３における照明システムを構成する第二の照明器具の構成を示す構成ブロック図である。
【図６】この発明の実施の形態３に係る照明システムの配置構成の一例を示す構成模式図である。
【図７】この発明の実施の形態３に係る外光量と外光量検知センサの出力の関係と切替部の閾値との関係を表した図である。
【図８】この発明の実施の形態４における照明システムを構成する第二の照明器具の構成を示す構成ブロック図である。
【図９】この発明の実施の形態４に係る照明システムの配置構成の一例を示す構成模式図である。
【図１０】この発明の実施の形態４に係る外光量と外光量検知センサの出力の関係と設定部の調光率補正値と切替部の閾値との関係を表した図である。
【符号の説明】
１　第一の照明器具、　２　第二の照明器具、　３　光源、　４　点灯装置、５ａ、５ｂ　制御装置、　６　照度センサ、　７　信号線、　８　調光信号出力部、　９　調光信号入力部、　１０　設定部、　１１　切替部、　１２　外光量検知センサ、　１３　信号線、　１４　入力部、　１５　設定器。
【図１】
2004134248.tif 000004
【図２】
2004134248.tif 000005
【図３】
2004134248.tif 000006
【図４】
2004134248.tif 000007
【図５】
2004134248.tif 000008
【図６】
2004134248.tif 000009
【図７】
2004134248.tif 000010
【図８】
2004134248.tif 000011
【図９】
2004134248.tif 000012
【図１０】
2004134248.tif 000013